(57)【要約】  車両の走行を制御する車両制御装置は、車両の周囲に存在し得る物標に対して、車両の走行方向に交差する横方向の距離を設定する設定部と、車両の走行中において、車両の周囲に存在している物標を検出する検出部と、検出された物標に対する横方向の距離と、物標に対して設定された横方向の距離との比較に基づいて、車両を横方向に移動させるオフセット制御を実行する制御部と、を備える。
2019058465.tif 000002
【特許請求の範囲】
【請求項１】
車両の走行を制御する車両制御装置であって、
前記車両の周囲に存在し得る物標に対して、前記車両の走行方向に交差する横方向の距離を設定する設定手段と、
前記車両の走行中において、前記車両の周囲に存在している物標を検出する検出手段と、
前記検出された物標に対する前記横方向の距離と、前記物標に対して設定された前記横方向の距離との比較に基づいて、前記車両を前記横方向に移動させるオフセット制御を実行する制御手段と、
を備えることを特徴とする車両制御装置。
【請求項２】
前記設定手段は、時間の経過に従い移動する動的物標に対する距離設定と、時間の経過に従い移動しない静的物標に対する距離設定とに分けて、前記横方向の距離を設定することを特徴とする請求項１に記載の車両制御装置。
【請求項３】
前記検出手段が、前記車両の周囲に存在している複数の物標を検出した場合において、
前記制御手段は、前記検出された複数の物標それぞれに対する前記横方向の距離と、前記物標に対して設定された前記横方向の距離との比較に基づいて、前記車両を前記横方向に移動させるオフセット制御を実行することを特徴とする請求項１または２に記載の車両制御装置。
【請求項４】
前記制御手段は、
前記複数の物標のうち一の物標に対する横方向の距離を確保した場合に、前記車両と他の物標との前記横方向の距離が、前記他の物標に対する距離の設定値を下回るか判定し、
前記他の物標に対する距離の設定値を下回る場合に、前記車両の減速制御を行うことを特徴とする請求項３に記載の車両制御装置。
【請求項５】
前記制御手段は、前記車両と他の物標との前記横方向の距離が、前記他の物標に対する距離の設定値を下回らない場合に、前記オフセット制御を行うことを特徴とする請求項４に記載の車両制御装置。
【請求項６】
前記複数の物標には、時間の経過に従い移動する動的物標と、時間の経過に従い移動しない静的物標とが含まれ、
前記制御手段は、
前記減速制御を行った状態で、前記動的物標および静的物標の少なくともいずれか一方について、検出された前記横方向の距離が、前記設定された前記横方向の距離未満となる場合、一時的に前記静的物標に対して前記設定された前記横方向の距離を小さくするように変更することを特徴とする請求項４に記載の車両制御装置。
【請求項７】
前記設定手段は、前記動的物標に対する距離設定に対して、前記静的物標に対する距離設定を小さく設定することを特徴とする請求項２または６に記載の車両制御装置。
【請求項８】
前記設定手段は、
前記動的物標を、歩行者、自転車、バイクおよび四輪車両に分けて、異なる距離を設定し、
前記静的物標を、前記車両が走行する道路に対して高さを有する静的物標と、前記道路に対して高さの無い静的物標とに分けて、異なる距離を設定することを特徴とする請求項２または６に記載の車両制御装置。
【請求項９】
前記設定手段は、
前記動的物標に関して、前記自転車に対する距離を、前記歩行者に対する距離より小さく設定し、前記バイクに対する距離を、前記自転車に対する距離より小さく設定し、前記四輪車両に対する距離を、前記バイクに対する距離よりも小さく設定し、
前記静的物標に関して、前記車両が走行する道路に対して高さの無い静的物標に対する距離を、前記道路に対して高さを有する静的物標に対する距離より小さく設定することを特徴とする請求項８に記載の車両制御装置。
【請求項１０】
請求項１乃至９のいずれか１項に記載の車両制御装置を有することを特徴とする車両。
【請求項１１】
車両の走行を制御する車両制御装置で実行する車両制御方法であって、
前記車両の周囲に存在し得る物標に対して、前記車両の走行方向に交差する横方向の距離を設定する設定工程と、
前記車両の走行中において、前記車両の周囲に存在している物標を検出する検出工程と、
前記検出された物標に対する前記横方向の距離と、前記物標に対して設定された前記横方向の距離との比較に基づいて、前記車両を前記横方向に移動させるオフセット制御を実行する制御工程と、
を有することを特徴とする車両制御方法。
【発明の詳細な説明】
【技術分野】
【０００１】
本発明は、車両制御装置、車両および車両制御方法に関する。
【背景技術】
【０００２】
特許文献１には、車間距離制御において、ドライバーが任意の車間距離を設定するための操作入力部の構成が開示されている。特許文献１の構成によれば、自車両と前方を走行する他車両との相対的な位置関係として、走行方向に沿った縦方向の車間距離をドライバーが任意に設定することは可能である。
【先行技術文献】
【特許文献】
【０００３】
【特許文献１】特開平６−３０５３４０号公報
【発明の概要】
【発明が解決しようとする課題】
【０００４】
しかしながら、特許文献１の構成では、自車両の周囲に存在する物標に対する相対的な位置関係として、車両の走行方向に対して交差する横方向の距離（オフセット量）を、ドライバーの設定に合わせて制御できない場合が生じ得る。【０００５】
本発明の目的は、上記の課題に鑑み、車両の周囲に存在する物標に対する相対的な位置関係として、車両の走行方向に対して交差する横方向の距離を、ドライバーの設定に合わせて制御することが可能な車両制御技術を提供することにある。
【課題を解決するための手段】
【０００６】
本発明の一態様による車両制御装置は、車両の走行を制御する車両制御装置であって、前記車両の周囲に存在し得る物標に対して、前記車両の走行方向に交差する横方向の距離を設定する設定手段と、
前記車両の走行中において、前記車両の周囲に存在している物標を検出する検出手段と、
前記検出された物標に対する前記横方向の距離と、前記物標に対して設定された前記横方向の距離との比較に基づいて、前記車両を前記横方向に移動させるオフセット制御を実行する制御手段と、を備えることを特徴とする。
【発明の効果】
【０００７】
本発明によれば、車両の周囲に存在する物標に対する相対的な位置関係として、車両の走行方向に対して交差する横方向の距離を、ドライバーの設定に合わせて制御することが可能になる。【０００８】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【０００９】
添付図面は明細書に含まれ、その一部を構成し、本発明の実施の形態を示し、その記述と共に本発明の原理を説明するために用いられる。
【図１Ａ】車両制御装置の基本構成を例示する図。
【図１Ｂ】車両制御装置の制御ブロック図の構成例を示す図。
【図２Ａ】物標の種別に応じた横方向の距離の設定例を示す図。
【図２Ｂ】自動運転レベルに応じたオフセット量の設定例を示す図。
【図２Ｃ】ハンズオン状態またはハンズオフ状態に応じたオフセット量の設定例を示す図。
【図３】車両を横方向に移動させるオフセット制御を例示的に説明する図。
【図４】表示装置の画面表示を例示する図。
【図５】表示装置の画面表示を例示する図。
【図６】実施形態に係るオフセット制御の流れを説明する図。
【発明を実施するための形態】
【００１０】
以下、図面を参照しながら本発明の実施形態について説明する。この実施形態に記載されている構成要素はあくまで例示であり、以下の実施形態によって限定されるわけではない。
【００１１】
（車両制御装置の構成）
図１Ａは、車両の自動運転制御を行う車両制御装置１００の基本構成を例示する図であり、車両制御装置１００は、センサＳ、カメラＣＡＭ、コンピュータＣＯＭ、表示装置ＤＩＳＰ、表示装置ＤＩＳＰを操作するための操作部ＵＩを有する。センサＳは、例えば、レーダＳ１、ライダＳ２、ジャイロセンサＳ３、ＧＰＳセンサＳ４、車速センサＳ５等を含む。
【００１２】
また、コンピュータＣＯＭは、車両の自動運転制御に関する処理を司るＣＰＵ（Ｃ１）、メモリＣ２、外部デバイスとのインタフェース（Ｉ／Ｆ）Ｃ３等を含む。センサＳおよびカメラＣＡＭは、車両の各種情報を取得し、コンピュータＣＯＭに入力する。ここで、コンピュータＣＯＭが搭載されている車両を以下の説明では自車両ともいい、自車両の周囲に存在する自転車およびバイク等の二輪または四輪の車両を他車両ともいう。ここで、四輪には、車両種別として、例えば、軽自動車、普通自動車、バスやトラック等の大型車両などが含まれる。
【００１３】
コンピュータＣＯＭは、センサＳ（レーダＳ１、ライダＳ２）およびカメラＣＡＭから入力された情報に画像処理を行い、自車両の周囲に存在する物標（オブジェクト）を抽出する。物標には、例えば、時間の経過に従い移動しない静的物標（例えば、道路上の白線、車線、道路幅、パイロン、信号機、信号機を支える電柱、縁石、標識やガードレールなどの道路構造物等の静止物体）と、時間の経過に従い移動する動的物標（例えば、他車両（自転車およびバイク等の二輪または四輪）や歩行者、道路上の落下物等の移動物体）とが含まれる。
【００１４】
コンピュータＣＯＭは、センサＳ（レーダＳ１、ライダＳ２）およびカメラＣＡＭにより取得された画像から、物標を抽出し、自車両の周囲にどのような物標が配置されているかを解析する。例えば、自車両の走行する同一車線において、自車両の前方および後方を走行している他車両、および、自車両の走行する隣接車線において、自車両に対して並走している他車両の情報を取得することが可能である。
【００１５】
ジャイロセンサＳ３は自車両の回転運動や姿勢を検知する。コンピュータＣＯＭは、ジャイロセンサＳ３の検知結果や、車速センサＳ５により検出された車速等により自車両の進路を判定することができる。ＧＰＳセンサＳ４は、地図情報における自車両の現在位置（位置情報）を検知する。インタフェース（Ｉ／Ｆ）Ｃ３は、通信装置として機能して、地図情報や交通情報を提供するサーバと無線通信を行い、これらの情報を取得する。コンピュータＣＯＭは、取得した情報を記憶装置として機能するメモリＣ２に記憶し、メモリＣ２に構築された地図情報や交通情報のデータベースにアクセスし、現在地から目的地へのルート探索等を行うことが可能である。
【００１６】
表示装置ＤＩＳＰは、自車両の周囲に存在する物標に対する相対的な位置関係として、車両１の走行方向に対して交差する横方向の距離を設定するための情報を表示する。また、操作部ＵＩは、ユーザインタフェースとして機能して、自車両の周囲に存在する物標に対し、横方向の距離の設定に関するドライバーの操作入力を受け付ける。
【００１７】
例えば、表示装置ＤＩＳＰをタッチパネルとして構成して、表示装置ＤＩＳＰと操作部ＵＩとを一体に構成することが可能である。この場合、表示装置ＤＩＳＰを介して、操作部ＵＩからの操作をコンピュータＣＯＭに入力することが可能である。また、操作部ＵＩを、スイッチ、ボタン等の入力装置として構成し、操作部ＵＩからの操作をコンピュータＣＯＭに入力することも可能である。コンピュータＣＯＭは、操作部ＵＩの操作入力に基づいて、自車両の周囲に存在する物標に対し、走行方向に対して交差する横方向の距離を、ドライバーの設定に合わせて制御する。
【００１８】
図１Ａに示す車両制御装置１００を車両に搭載する場合、コンピュータＣＯＭを、例えば、センサＳやカメラＣＡＭの情報を処理する認識処理系のＥＣＵや画像処理系のＥＣＵ内に配置してもよいし、入出力装置を制御するＥＣＵ内に配置してもよいし、車両の駆動制御を行う制御ユニット内のＥＣＵや、自動運転用のＥＣＵ内に配置してもよい。例えば、以下に説明する図１Ｂのように、センサＳ用のＥＣＵ、カメラ用のＥＣＵ、入出力装置用のＥＣＵ、および自動運転用のＥＣＵ等、車両制御装置１００を構成する複数のＥＣＵに機能を分散させてもよい。
【００１９】
図１Ｂは、車両１を制御するための車両制御装置１００の制御ブロック図の構成例を示す図である。図１Ｂにおいて、車両１はその概略が平面図と側面図とで示されている。車両１は一例としてセダンタイプの四輪の乗用車である。
【００２０】
図１Ｂの制御ユニット２は、車両１の各部を制御する。制御ユニット２は車内ネットワークにより通信可能に接続された複数のＥＣＵ２０〜２９を含む。各ＥＣＵ（Ｅｎｇｉｎｅ  Ｃｏｎｔｒｏｌ  Ｕｎｉｔ）は、ＣＰＵ（Ｃｅｎｔｒａｌ  Ｐｒｏｃｅｓｓｉｎｇ  Ｕｎｉｔ）に代表されるプロセッサ、半導体メモリ等の記憶デバイス、外部デバイスとのインタフェース等を含む。記憶デバイスにはプロセッサが実行するプログラムやプロセッサが処理に使用するデータ等が格納される。各ＥＣＵはプロセッサ、記憶デバイスおよびインタフェース等を複数備えていてもよい。
【００２１】
以下、各ＥＣＵ２０〜２９が担当する機能等について説明する。なお、ＥＣＵの数や、担当する機能については、車両１の適宜設計可能であり、本実施形態よりも細分化したり、あるいは、統合することが可能である。
【００２２】
ＥＣＵ２０は、本実施形態に係る車両１（自車両）の自動運転に関わる車両制御を実行する。自動運転においては、車両１の操舵と、加減速の少なくともいずれか一方を自動制御する。自動運転に関わる具体的な制御に関する処理については後に詳細に説明する。
【００２３】
ＥＣＵ２１は、電動パワーステアリング装置３を制御する。電動パワーステアリング装置３は、ステアリングホイール３１に対する運転者の運転操作（操舵操作）に応じて前輪を操舵する機構を含む。また、電動パワーステアリング装置３は操舵操作をアシストしたり、あるいは、前輪を自動操舵するための駆動力を発揮するモータや、操舵角を検知するセンサ等を含む。車両１の運転状態が自動運転の場合、ＥＣＵ２１は、ＥＣＵ２０からの指示に対応して電動パワーステアリング装置３を自動制御し、車両１の進行方向を制御する。
【００２４】
ＥＣＵ２２および２３は、車両の周囲状況を検知する検知ユニット４１〜４３の制御および検知結果の情報処理を行う。検知ユニット４１は、例えば、車両１の前方を撮影するカメラであり（以下、カメラ４１と表記する場合がある。）、本実施形態の場合、車両１のルーフ前部に２つ設けられている。カメラ４１が撮影した画像の解析（画像処理）により、物標の輪郭抽出や、道路上の車線の区分線（白線等）を抽出可能である。
【００２５】
検知ユニット４２（ライダ検出部）は、例えば、ライダ（Light Detection and Ranging（LIDAR））であり（以下、ライダ４２と表記する場合がある）、光により車両１の周囲の物標を検知したり、物標との距離を測距する。本実施形態の場合、ライダ４２は車両の周囲に複数設けられている。図１Ｂに示す例では、ライダ４２は、例えば、５つ設けられており、車両１の前部の各隅部に１つずつ、後部中央に１つ、後部各側方に１つずつ設けられている。検知ユニット４３（レーダ検出部）は、例えば、ミリ波レーダであり（以下、レーダ４３と表記する場合がある）、電波により車両１の周囲の物標を検知したり、物標との距離を測距する。本実施形態の場合、レーダ４３は車両の周囲に複数設けられている。図１Ｂに示す例では、レーダ４３は、例えば、５つ設けられており、車両１の前部中央に１つ、前部各隅部に１つずつ、後部各隅部に一つずつ設けられている。
【００２６】
ＥＣＵ２２は、一方のカメラ４１と、各ライダ４２の制御および検知結果の情報処理を行う。ＥＣＵ２３は、他方のカメラ４１と、各レーダ４３の制御および検知結果の情報処理を行う。車両の周囲状況を検知する装置を二組備えたことで、検知結果の信頼性を向上でき、また、カメラ、ライダ、レーダといった種類の異なる検知ユニットを備えたことで、車両の周辺環境の解析を多面的に行うことができる。尚、ＥＣＵ２２およびＥＣＵ２３を一つのＥＣＵにまとめてもよい。
【００２７】
ＥＣＵ２４は、ジャイロセンサ５、ＧＰＳセンサ２４ｂ、通信装置２４ｃの制御および検知結果あるいは通信結果の情報処理を行う。ジャイロセンサ５は車両１の回転運動を検知する。ジャイロセンサ５の検知結果や、車輪速等により車両１の進路を判定することができる。ＧＰＳセンサ２４ｂは、車両１の現在位置を検知する。通信装置２４ｃは、地図情報や交通情報を提供するサーバと無線通信を行い、これらの情報を取得する。ＥＣＵ２４は、記憶デバイスに構築された地図情報のデータベース２４ａにアクセス可能であり、ＥＣＵ２４は現在地から目的地へのルート探索等を行う。データベース２４ａはネットワーク上に配置可能であり、通信装置２４ｃがネットワーク上のデータベース２４ａにアクセスして、情報を取得することが可能である。
【００２８】
ＥＣＵ２５は、車車間通信用の通信装置２５ａを備える。通信装置２５ａは、周辺の他車両と無線通信を行い、車両間での情報交換を行う。
【００２９】
ＥＣＵ２６は、パワープラント６を制御する。パワープラント６は車両１の駆動輪を回転させる駆動力を出力する機構であり、例えば、エンジンと変速機とを含む。ＥＣＵ２６は、例えば、アクセルペダル７Ａに設けた操作検知センサ７ａにより検知した運転者の運転操作（アクセル操作あるいは加速操作）に対応してエンジンの出力を制御したり、車速センサ７ｃが検知した車速等の情報に基づいて変速機の変速段を切り替える。車両１の運転状態が自動運転の場合、ＥＣＵ２６は、ＥＣＵ２０からの指示に対応してパワープラント６を自動制御し、車両１の加減速を制御する。
【００３０】
ＥＣＵ２７は、方向指示器８を含む灯火器（ヘッドライト、テールライト等）を制御する。図１Ｂの例の場合、方向指示器８は車両１の前部、ドアミラーおよび後部に設けられている。
【００３１】
ＥＣＵ２８は、入出力装置９の制御を行う。入出力装置９は運転者に対する情報の出力と、運転者からの情報の入力の受け付けを行う。音声出力装置９１は運転者に対して音声により情報を報知する。表示装置９２は運転者に対して画像の表示により情報を報知する。表示装置９２は例えば運転席表面に配置され、インストルメントパネル等を構成する。なお、ここでは、音声と表示を例示したが振動や光により情報を報知してもよい。また、音声、表示、振動または光のうちの複数を組み合わせて情報を報知してもよい。更に、報知すべき情報のレベル（例えば緊急度）に応じて、組み合わせを異ならせたり、報知態様を異ならせてもよい。
【００３２】
入力装置９３は運転者が操作可能な位置に配置され、車両１に対する指示を行うスイッチ群であるが、音声入力装置も含まれてもよい。表示装置９２は、例えば、先に説明した図１Ａの表示装置ＤＩＳＰに対応し、入力装置９３は、図１Ａの操作部ＵＩの構成に対応する。
【００３３】
ＥＣＵ２９は、ブレーキ装置１０やパーキングブレーキ（不図示）を制御する。ブレーキ装置１０は例えばディスクブレーキ装置であり、車両１の各車輪に設けられ、車輪の回転に抵抗を加えることで車両１を減速あるいは停止させる。ＥＣＵ２９は、例えば、ブレーキペダル７Ｂに設けた操作検知センサ７ｂにより検知した運転者の運転操作（ブレーキ操作）に対応してブレーキ装置１０の作動を制御する。車両１の運転状態が自動運転の場合、ＥＣＵ２９は、ＥＣＵ２０からの指示に対応してブレーキ装置１０を自動制御し、車両１の減速および停止を制御する。ブレーキ装置１０やパーキングブレーキは車両１の停止状態を維持するために作動することもできる。また、パワープラント６の変速機がパーキングロック機構を備える場合、これを車両１の停止状態を維持するために作動することもできる。
【００３４】
本実施形態の車両制御において、図１Ｂに示すＥＣＵ２２は、一方のカメラ４１と、各ライダ４２との検知結果について情報処理を行い、ＥＣＵ２３は、他方のカメラ４１と、各レーダ４３との検知結果について情報処理を行う。ＥＣＵ２０は、ＥＣＵ２２およびＥＣＵ２３の情報処理の結果により、車両１（自車両）の周囲に位置する物標（例えば、他車両やガードレール等）の情報を取得することができる。例えば、自車両の走行する隣接車線において、自車両に対して並走している他車両の位置、相対的な距離（間隔）および速度等に関する情報を取得することができる。また、自車両の側方に存在するガードレール等の構造物との相対的な距離を取得することができる。
【００３５】
また、表示装置９２および入力装置９３を制御するＥＣＵ２８は、表示制御部として機能して、車両の走行方向に対して交差する横方向の距離を設定するための情報の表示と操作入力に基づく情報処理を行う。
【００３６】
自動運転に関わる車両制御を実行するＥＣＵ２０は、設定された横方向の距離に基づいて、車両１の周囲に存在する物標に対して、走行方向に対して交差する横方向の距離を、ドライバーの設定に合わせて制御する。ＥＣＵ２０は、動的物標に対する距離（例えば、並走する他車両に対する側方の距離）を、ドライバーが設定した設定値に基づいて制御しつつ、静的物標に対する距離（例えば、ガードレール等の構造物に対する距離）をドライバーが設定した設定値に基づいて制御する。すなわち、ＥＣＵ２０は、車両１の周囲に存在する各種物標に対して、どこまで離れるか、若しくは、どこまで接近することを許容するかを、ドライバーの設定に基づいて制御する。
【００３７】
（横方向の距離の設定）
本実施形態では、横方向の距離は、複数段階、または、連続的に変化する複数のレベルにより設定することができる。図２Ａは、物標の種別に応じた横方向の距離の設定例を示す図であり、図２Ａでは、横方向の距離を、３段階（大中小）に分けた設定例を示している。
【００３８】
ここで、動的物標とは、時間の経過に従い移動する物標であり、例えば、自転車およびバイク等の二輪または四輪、歩行者、道路上の落下物等の移動物体が含まれる。また、四輪を更に、車両種別、例えば、軽自動車、普通自動車、バスやトラック等の大型車両に細分化することも可能である。
【００３９】
静的物標とは、時間の経過に従い移動しない物標であり、道路上の白線、車線、道路幅、パイロン、信号機、信号機を支える電柱、縁石、標識やガードレールなどの道路構造物等の静止物体が含まれる。
【００４０】
尚、静的物標のうち、高さの有るもの（例えば、パイロン、信号機、信号機を支える電柱、縁石、標識やガードレールなどの道路構造物）や、高さの無いもの（道路上の白線、車線、道路幅等）を分けることも可能である。
【００４１】
図２Ａにおいて、動的物標に対して、距離（大）では、ＬＤ１の距離が設定されており、距離（中）では、ＬＤ２の距離が設定されており、距離（小）では、ＬＤ３の距離が設定されている。設定値の大小関係は、ＬＤ１＞ＬＤ２＞ＬＤ３となる。
【００４２】
また、静的物標に対して、距離（大）では、ＬＳ１の距離が設定されており、距離（中）では、ＬＳ２の距離が設定されており、距離（小）では、ＬＳ３の距離が設定されている。設定値の大小関係は、ＬＳ１＞ＬＳ２＞ＬＳ３となる。更に、静的物標の距離（大）の設定値ＬＳ１は、動的物標の距離（小）の設定値ＬＤ３に比べて小さい値が設定されている。すなわち、大小関係は、ＬＳ１＜ＬＤ３となる。
【００４３】
動的物標の距離（大）の設定値、距離（中）の設定値、距離（小）の設定値は、静的物標の距離（大）の設定値、距離（中）の設定値、距離（小）の設定値に比べて、それぞれ大きい値が設定されている。動的物標および静的物標のそれぞれに対しては、図２Ａに示す例のような設定値が適用されるが、各物標を更に細分化して設定値を定めることが可能である。例えば、歩行者、自転車、バイク、四輪車両等に細分化したり、四輪車両を更に、車両種別、例えば、軽自動車、普通自動車、バスやトラック等の大型車両に細分化することも可能である。また、静的物標を、高さの有るものと無いものに細分化することも可能である。
【００４４】
図２Ａに示す例では、物標の種別に対応した横方向の距離の設定例を示しているが、この他、車両１を運転し得るドライバーが複数人の場合、各ドライバーに対して識別情報を設定し、ドライバーごとに設定値を保持するようにしてもよい。更に、高速道や一般道などの道路種別や、車両１の速度域に応じて、設定値を保持し、車両１の走行状況や、運転するドライバーに応じて、設定値を切り替えることも可能である。
【００４５】
尚、ＥＣＵ２０は、ドライバーによる手動運転の際に、物標に対してどのくらい離れて走行するかデータを蓄積し、蓄積結果に基づいて学習を行い、学習結果に基づいて、動的物標および静的物標に対する距離を設定してもよい。これにより、ドライバーの運転感覚により適合した距離設定を自動運転に反映した走行が可能になる。
【００４６】
図３は、車両を横方向に移動させるオフセット制御を例示的に説明する図である。図３の３ａは、図２Ａにおいて、ドライバーが距離（大）を設定した場合のオフセット量の制御を例示的に説明する図であり、図３の３ｂは、図２Ａにおいて、ドライバーが距離（中）を設定した場合のオフセット量の制御を例示的に説明する図であり、図３の３ｃは、ドライバーが距離（小）を設定した場合のオフセット量の制御を例示的に説明する図である。
【００４７】
図３の３ａ〜３ｃにおいて、車線２０１は、例えば、静的物標である、白線またはガードレールなどに対応する物標（静的物標２０３）と、車線２０１に対して隣接する車線２０２との車線境界を示す区分線２０５（白線）とにより区切られている。また、車線２０１に対して隣接する車線２０２は、区分線２０５（白線）と、白線またはガードレールなどに対応する物標２０４とにより区切られている。
【００４８】
破線で示す車両１（自車両）は、一点鎖線で示す車線中心２０８に沿って走行している状態を示しており、実線で示す車両１（自車両）は、オフセット制御を実行している状態を示している。実線２０７は、オフセット制御の際の車両１（自車両）の移動軌跡を示している。実線で示す車両１（自車両）の周囲に存在する動的物標として、他車両２０６は、車線２０１に隣接する車線２０２を走行している。破線で示す楕円２０９は、オフセット制御において、車両１と他車両２０６との間で確保される距離（ＬＤ１〜ＬＤ３）の大きさを模式的に示している。
【００４９】
図３の３ａに示すように、距離（大）の設定に基づくオフセット制御では、車両１（自車両）と並走する他車両２０６との距離として、ＬＤ１を確保しつつ、静的物標２０３に対してＬＳ１まで接近することが可能である。
【００５０】
また、図３の３ｂにおいて、距離（中）の設定に基づくオフセット制御では、車両１（自車両）と並走する他車両２０６との距離として、ＬＤ２を確保しつつ、静的物標２０３に対してＬＳ２まで接近することが可能である。
【００５１】
道路幅は、例えば、高速道路では、走行車線は３．５ｍ、追越車線は３．７５ｍ等と設定されているところや、３．２５〜３．７５ｍの範囲で道路幅が設定されているところもあり、平均化するとほぼ３．５ｍとなる。また、一般道では、２．７５ｍ〜３．５ｍの範囲で設定されている。車幅は、例えば、大きいもので２．１ｍ程度、大型セダンでも１．９ｍ程度である。
【００５２】
道路幅の例として、３．５ｍ、車幅の例を１．９ｍとすると、３．５ｍの道路幅の車線に対して、１．９ｍ幅の車両が通過する際に、車両が車線中心で走行した場合に、車両幅側方から車線際までの隙間は、左右それぞれ０．８ｍ（＝（３．５−１．９）×０．５）となる。
【００５３】
したがって、横方向の距離（オフセット量）としては、車線中心（例えば、図３の３ｂの一点鎖線で示す車線中心２０８）を基準に、±０．８ｍの振り幅（図３の３ｂに示す−ＬＤ２/２からＬＤ２/２の範囲）であれば車線外（路外）に逸脱しない範囲でのオフセット制御が可能となる。互いに同じ車線幅と車幅であれば、夫々の車両が車線中心で走行した場合には、１．６ｍの間隔で並走することとなる。
【００５４】
そして、図３の３ｃに示すように、距離（小）の設定に基づくオフセット制御では、車両１（自車両）と並走する他車両２０６との距離として、ＬＤ１を確保しつつ、静的物標２０３に対してＬＳ１まで接近することが可能である。図３の３ｃに示すように、距離（小）の設定に基づくオフセット制御では、実線２０７の移動軌跡と車線中心２０８とが一致し、車両１はオフセット制御を実行しても、並走する他車両２０６との相対的な位置関係では、車線中心２０８に沿って移動可能である。
【００５５】
動的物標に対する距離の設定値を静的物標に対する距離の設定値に比べて大きい値を設定することにより、ＥＣＵ２０は、ドライバーが恐怖を感じやすい動的物標の接近に対しては車両１を大きく回避するようにオフセット制御を行う。ドライバーの設定値に基づいて、ＥＣＵ２０はオフセット制御を行うため、ドライバーの運転感覚に合致した自動運転が可能となる。
【００５６】
図４、図５は、表示装置９２の画面表示を例示する図である。図４の４ａに示すように、表示装置９２の画面上には、無段階でボリューム調整ができるようなスライダーＳＬＤが表示されており、このスライダーＳＬＤを画面上で移動させることにより、横方向の距離（オフセット量）を設定することが可能である。ドライバーが詳細カスタマイズボタンＣＳ１を選択すると、ＥＣＵ２８の表示制御の下に画面表示が切り換わり、図４の４ｂのような距離設定の詳細カスタマイズ画面が表示される。
【００５７】
図４の４ｂに示すように距離設定の詳細カスタマイズ画面では、動的物標と静的物標に関する距離設定を行うため、無段階でボリューム調整ができるようなスライダーＳＬＤが表示されている。例えば、動的物標において、スライダーＳＬＤを「大」のところに移動させると、図２Ａに示した距離ＬＤ１（大）の値が設定され、スライダーＳＬＤを「小」のところに移動させると、図２Ａに示した距離ＬＤ３（小）の値が設定される。ドライバーが、スライダーＳＬＤの位置を、「大」と「小」との間の任意の位置に合わせると、ＥＣＵ２８は、距離ＬＤ１（大）と、距離ＬＤ３（小）との値を補間した値を計算し、ＬＤ２（中）の値として設定する。静的物標に対しても同様である。
【００５８】
図４の４ｂの画面表示において、ドライバーが動的物標の詳細カスタマイズボタンＣＳ２を選択すると、ＥＣＵ２８の表示制御の下に画面表示が切り換わり、図５の５ａのような動的物標の詳細カスタマイズ画面が表示される。
【００５９】
また、ドライバーが静的物標の詳細カスタマイズボタンＣＳ３を選択すると、ＥＣＵ２８の表示制御の下に画面表示が切り換わり、図５の５ｂのような静的物標の詳細カスタマイズ画面が表示される。
【００６０】
図５の５ａに示すような動的物標の詳細カスタマイズ画面では、動的物標を、例えば、歩行者、自転車、バイクおよび四輪車両に分けて、異なる距離を設定している。細分化したそれぞれの項目について、無段階でボリューム調整ができるようなスライダーＳＬＤが表示されている。
【００６１】
例えば、歩行者において、スライダーＳＬＤを「大」のところに移動させると、歩行者に対する横方向の距離（オフセット量）として、図２Ａに示した距離ＬＤ１（大）の値が設定され、スライダーＳＬＤを「小」のところに移動させると、横方向の距離（オフセット量）として、図２Ａに示した距離ＬＤ３（小）の値が設定される。
【００６２】
ドライバーが、スライダーＳＬＤの位置を、「大」と「小」との間の任意の位置に合わせると、ＥＣＵ２８は、距離ＬＤ１（大）と、距離ＬＤ３（小）との値を補間した値を計算し、ＬＤ２（中）の値として設定する。動的物標における、自転車、バイクや四輪車両に対する設定も同様である。また、四輪車両を更に、車両のサイズ（例えば、軽自動車、普通自動車、バスやトラック等の大型車両など）に応じて分類した詳細カスタマイズ画面を表示するようにしてもよい。
【００６３】
図５の５ａに示す設定例では、動的物標に関して、自転車に対する距離を、歩行者に対する距離より小さく設定し、バイクに対する距離を、自転車に対する距離より小さく設定し、四輪車両に対する距離を、バイクに対する距離よりも小さく設定している。５ａに示す設定例のように設定することで、交通弱者である歩行者や自転車に対する距離を、バイクや四輪車両に比べて大きく設定することで、より一層安全性の配慮した自動運転が可能になる。
【００６４】
また、図５の５ｂに示すような静的物標の詳細カスタマイズ画面では、静的物標を、車両が走行する道路に対して高さを有する静的物標と、道路に対して高さの無い静的物標とに分けて、異なる距離を設定する。静的物標を、例えば、パイロン、信号機、信号機を支える電柱、縁石、標識やガードレールなどの道路構造物などの高さの有るもの、または、道路上の白線など高さの無いものに分けて、異なる距離を設定する。細分化したそれぞれの項目について、無段階でボリューム調整ができるようなスライダーＳＬＤが表示されている。
【００６５】
例えば、高さのある静的物標について、スライダーＳＬＤを「大」のところに移動させると、高さのある静的物標に対して、図２Ａに示した距離ＬＳ１（大）の値が設定され、スライダーＳＬＤを「小」のところに移動させると、図２Ａに示した距離ＬＳ３（小）の値が設定される。
【００６６】
ドライバーが、スライダーＳＬＤの位置を、「大」と「小」との間の任意の位置に合わせると、ＥＣＵ２８は、距離ＬＳ１（大）と、距離ＬＳ３（小）との値を補間した値を計算し、ＬＳ２（中）の値として設定する。高さの無い静的物標における距離の設定も同様である。
【００６７】
図５の５ｂに示す設定例では、静的物標に関して、車両が走行する道路に対して高さの無い静的物標に対する距離を、道路に対して高さを有する静的物標に対する距離より小さく設定している。５ｂに示す設定例のように設定することで、高さを有する静的物標については、より大きい距離を設定することで、ドライバーにとって違和感の無い軌道での自動運転が可能となる。
【００６８】
図６は、本実施形態に係るオフセット制御の流れを説明する図である。ステップＳ１０において、ドライバーが横方向の距離（オフセット量）を設定する。車両１の走行方向に対して交差する横方向の距離（オフセット量）は、図４、図５で説明したように、表示装置９２の画面表示上におけるスライダーＳＬＤを調整することにより、動的物標および静的物標について、設定可能である。ＥＣＵ２８および表示装置９２は、ドライバーの操作に基づいて、車両１の周囲に存在し得る物標に対して、車両の走行方向に交差する横方向の距離（オフセット量）を設定する。
【００６９】
ステップＳ１１において、車両１の走行中において、車両１の周囲に存在している物標を検出する。ＥＣＵ２２は、一方のカメラ４１と、各ライダ４２との検知結果について情報処理を行い、ＥＣＵ２３は、他方のカメラ４１と、各レーダ４３との検知結果について情報処理を行い、ＥＣＵ２２およびＥＣＵ２３は処理結果をＥＣＵ２０に入力する。
【００７０】
ステップＳ１２において、ＥＣＵ２０は、ＥＣＵ２２およびＥＣＵ２３の情報処理の結果により、車両１（自車両）の周囲に位置する物標の情報を取得する。例えば、ＥＣＵ２０は、車両１（自車両）の走行する車線(例えば、図３の３ａ〜３ｃの２０１)に対する隣接車線において、車両１（自車両）に対して並走している他車両２０６の位置、相対的な距離（間隔）等に関する情報を取得する。また、ＥＣＵ２０は、車両１（自車両）の側方に存在するガードレール等の静的物標（例えば、図３の３ａ〜３ｃの２０３）の位置、相対的な距離（間隔）等に関する情報を取得する。以上の処理により、ＥＣＵ２０は、検出された物標（動的物標、静的物標）に対する横方向の距離を取得する。
【００７１】
ステップＳ１３において、ＥＣＵ２０は、動的物標に対する距離の設定値（動的物標の距離設定値）と、検出された動的物標に対する距離（横方向の距離）とを比較する。検出された動的物標に対する距離（横方向の距離）が距離の設定値以上である場合（Ｓ１３−Ｎｏ）、ＥＣＵ２０は、オフセット制御を行わず、本処理を終了する。
【００７２】
一方、ステップＳ１３の比較処理で、動的物標に対する距離の設定値に比べて、検出された動的物標に対する距離（横方向の距離）が小さい場合、すなわち、並走している動的物標が、動的物標に対する距離の設定値を下回り、車両１（自車両）に接近している場合（Ｓ１３−Ｙｅｓ）、ＥＣＵ２０は、処理をステップＳ１４に進める。
【００７３】
ライダ４２やレーダ４３が、車両１の周囲に存在している複数の物標を検出した場合において、ＥＣＵ２０は、検出された複数の物標それぞれに対する横方向の距離と、物標に対して設定された横方向の距離との比較に基づいて、車両を横方向に移動させるオフセット制御を実行する。以下のステップＳ１４での説明は、複数の物標として動的物標と静的物標に関する処理を例示的に説明しているが、動的物標同士であってもよいし、静的物標同士であってもよい。
【００７４】
ステップＳ１４において、ＥＣＵ２０は、動的物標に対して、距離の設定値を確保するために、車両１（自車両）を横移動（オフセット移動）させた場合、車両１（自車両）と静的物標との横方向の距離が、静的物標に対する距離の設定値を下回るか判定する。横移動（オフセット移動）しても車両１（自車両）が静的物標に対する距離の設定値を下回らない場合（Ｓ１４−Ｎｏ）、すなわち、車両１（自車両）を横移動（オフセット移動）させても、車両１（自車両）が距離の設定値以上、静的物標から離れている場合、ＥＣＵ２０は、処理をステップＳ１８に進める。
【００７５】
ステップＳ１８において、ＥＣＵ２０は、動的物標に対する距離の設定値を確保するためにオフセット制御を行い、本処理を終了する。
【００７６】
一方、ステップＳ１４の判定で、動的物標に対して、距離の設定値を確保するために、車両１（自車両）を横移動（オフセット移動）させた場合、車両１（自車両）が静的物標に対する距離の設定値を超えて接近する場合（Ｓ１４−Ｙｅｓ）、ＥＣＵ２０は、処理をステップＳ１５に進める。
【００７７】
ステップＳ１５において、ＥＣＵ２０は、車両１の減速制御を行う。走行している車両１の速度を減速させることにより、他車両２０６が移動していくのを減速状態で待ち、並走している他車両２０６との位置関係を変えることができる。
【００７８】
そして、ステップＳ１６において、ＥＣＵ２０は、動的物標および静的物標のそれぞれについて、距離の設定値が確保できているか判定する。すなわち、ＥＣＵ２０は、減速制御を行った状態で、動的物標および静的物標のそれぞれに対する横方向の距離（検出された横方向の距離）が、設定された横方向の距離（設定距離）以上であるか判定する。動的物標および静的物標のそれぞれに対する横方向の距離（検出された横方向の距離）が、設定された横方向の距離（設定距離）以上であり、動的物標および静的物標のそれぞれについて、距離の設定値が確保できている場合（Ｓ１６−Ｙｅｓ）、ＥＣＵ２０は、処理をステップＳ１７に進める。そして、ステップＳ１７において、ＥＣＵ２０は、オフセット制御を行い、本処理を終了する。
【００７９】
一方、ステップＳ１６の判定で、ＥＣＵ２０は、動的物標および静的物標の少なくともいずれか一方について、検出された横方向の距離（検出された横方向の距離）が、設定された横方向の距離（設定距離）未満であると判定した場合、すなわち、動的物標および静的物標の少なくともいずれか一方について、距離の設定値が確保できていないと判定した場合（Ｓ１６−Ｎｏ）、ＥＣＵ２０は処理をステップＳ１９に進める。
【００８０】
ステップＳ１９において、ＥＣＵ２０は、減速制御を行った状態で、動的物標および静的物標の少なくともいずれか一方について、検出された横方向の距離が、設定された横方向の距離未満となる場合、一時的に静的物標に対して設定された横方向の距離を小さくするように変更して、処理をステップＳ２０に進める。
【００８１】
静的物標に対する距離の設定値としては、例えば、図２Ａに示した距離（大）の設定値ＬＳ１、距離（中）の設定値ＬＳ２、距離（小）の設定値ＬＳ３などがある。距離の設定値を小さく変更する場合、例えば、ＬＳ１〜ＬＳ３の範囲で設定値を小さくする場合に限らず、ＬＳ１〜ＬＳ３の範囲よりも小さな下限値に変更してもよい。例えば、ゼロより大きく、距離（小）の設定値ＬＳ３よりも小さい距離の範囲（０＜ＬＳ＜ＬＳ３）で、静的物標に対する距離（ＬＳ）を設定してもよい。このように、一時的に静的物標に対する距離の設定値を変更することにより、動的物標に対する距離の設定値を確保するため、一時的に静的物標に対して設定された距離を下回ることを許容することで、減速しすぎず、より安全な距離感で走行することが可能になる。
【００８２】
そして、ステップＳ２０において、ＥＣＵ２０は、動的物標および静的物標のそれぞれについて、距離の設定値が確保できているか判定する。すなわち、ＥＣＵ２０は、減速制御を行った状態で、かつ、一時的に静的物標に対する設定距離を変更した状態で、動的物標および静的物標のそれぞれに対する横方向の距離（検出された横方向の距離）が、設定された横方向の距離（設定距離）以上であるか判定する。動的物標および静的物標のそれぞれに対する横方向の距離（検出された横方向の距離）が、設定された横方向の距離（設定距離）以上であり、動的物標および静的物標のそれぞれについて、距離の設定値が確保できている場合（Ｓ２０−Ｙｅｓ）、ＥＣＵ２０は、処理をステップＳ１７に進める。そして、ステップＳ１７において、ＥＣＵ２０は、オフセット制御を行い、本処理を終了する。
【００８３】
一方、ステップＳ２０の判定で、ＥＣＵ２０は、動的物標および静的物標の少なくともいずれか一方について、検出された横方向の距離（検出された横方向の距離）が、設定された横方向の距離（設定距離）未満であると判定した場合、すなわち、動的物標および静的物標の少なくともいずれか一方について、距離の設定値が確保できていないと判定した場合（Ｓ２０−Ｎｏ）、ＥＣＵ２０は処理をステップＳ１９に戻し、再度、ＥＣＵ２０は、一時的に静的物標に対する距離の設定値を更に小さくするように更に変更して、処理をステップＳ２０に進める。
【００８４】
そして、ステップＳ２０において、再度、ＥＣＵ２０は、減速制御を行った状態で、かつ、一時的に静的物標に対する設定距離を更に変更した状態で、動的物標および静的物標のそれぞれに対する横方向の距離（検出された横方向の距離）が、設定された横方向の距離（設定距離）以上であるか判定する。
【００８５】
動的物標および静的物標のそれぞれに対する横方向の距離（検出された横方向の距離）が、設定された横方向の距離（設定距離）以上であり、動的物標および静的物標のそれぞれについて、距離の設定値が確保できている場合（Ｓ２０−Ｙｅｓ）、ＥＣＵ２０は、処理をステップＳ１７に進める。そして、ステップＳ１７において、ＥＣＵ２０は、オフセット制御を行い、本処理を終了する。
【００８６】
ステップＳ２０の判定で、ＥＣＵ２０が、動的物標および静的物標の少なくともいずれか一方について、距離の設定値が確保できていないと判定した場合（Ｓ２０−Ｎｏ）、ＥＣＵ２０は処理をステップＳ１９に戻して同様の処理を繰り返し、動的物標および静的物標のそれぞれについて、距離の設定値が確保できた場合（Ｓ２０−Ｙｅｓ）、ＥＣＵ２０は、処理をステップＳ１７に進める。そして、ステップＳ１７において、ＥＣＵ２０は、オフセット制御を行い、本処理を終了する。
【００８７】
尚、ステップＳ１９において、静的物標に対する距離の設定値を変更する場合、例えば、図２Ａに示した距離（大）の設定値ＬＳ１、距離（中）の設定値ＬＳ２、距離（小）の設定値ＬＳ３に基づく範囲（ＬＳ１〜ＬＳ３の範囲）の他、ＬＳ１〜ＬＳ３の範囲よりも小さな下限値を用いて設定値を変更してもよい。例えば、ゼロより大きく、距離（小）の設定値ＬＳ３よりも小さい距離の範囲（０＜ＬＳ＜ＬＳ３）で、静的物標に対する距離（ＬＳ）を設定してもよい。ゼロよりも大きい値にすることで、例えば、パイロン、信号機、信号機を支える電柱、縁石、標識やガードレールなどの道路構造物など、高さを有する静的物標との干渉（接触）を回避しつつ、動的物標に対して設定された横方向の距離を確保するようにオフセット制御を行うことで、減速しすぎず、より安全な距離感で走行することが可能になる。
【００８８】
本実施形態の車両制御装置は、車両の自動運転走行を、設定されている自動運転レベルに基づいて制御することが可能である。自動運転レベルとしては、例えば、以下に示すレベル１〜４がある。ドライバーに対して周辺監視義務が求められる自動運転レベルを低レベルの自動運転レベルとし、ドライバーに対する周辺監視義務が、低レベルの自動運転レベルに比べて緩和された自動運転レベルを高レベルの自動運転レベルとする。
【００８９】
設定されている自動運転レベルによる自動運転走行中において、ＥＣＵ２０は、自動運転レベルに応じて、オフセット量を変更することが可能である。例えば、動的物標または静的物標のオフセット量として、距離（小）が設定されている場合に、ＥＣＵ２０は、低レベルの自動運転走行におけるオフセット量に比べて、高レベルの自動運転走行におけるオフセット量を大きく設定することが可能である。例えば、レベル２による自動運転走行におけるオフセット量に比べて、レベル３による自動運転走行におけるオフセット量を大きく設定することが可能である。
【００９０】
オフセット量の変更は、この例に限定されず、ＥＣＵ２０は、レベル１、２、３、４に応じて、オフセット量を設定することが可能である。図２Ａで示すように距離（小）の場合、動的物標に対するオフセット量はＬＤ３であり、静的物標に対すオフセット量はＬＳ３である。このオフセット量（ＬＤ３、ＬＳ３）を基準として、ＥＣＵ２０は、レベル１〜４の自動運転レベルに応じて、距離（小）のオフセット量を、図２Ｂに示すように設定することができる。すなわち、ＥＣＵ２０は、自動運転レベルに応じて、動的物標に対する距離（小）のオフセット量として、ＬＤ３−１、ＬＤ３−２、ＬＤ３−３、ＬＤ３−４を設定することが可能である。各オフセット量の大小関係は、自動運転レベル１〜４に応じて、各オフセット量を大きくするように設定することが可能である。すなわち、ＥＣＵ２０は、各オフセット量の大小関係として、ＬＤ３−１＜ＬＤ３−２＜ＬＤ３−３＜ＬＤ３−４と設定することが可能である。
【００９１】
また、静的物標についても同様に、ＥＣＵ２０は、自動運転レベルに応じて、静的物標に対する距離（小）のオフセット量として、ＬＳ３−１、ＬＳ３−２、ＬＳ３−３、ＬＳ３−４を設定することが可能である。各オフセット量の大小関係は、自動運転レベル１〜４に応じて、各オフセット量を大きくするように設定することが可能である。すなわち、ＥＣＵ２０は、各オフセット量の大小関係として、ＬＳ３−１＜ＬＳ３−２＜ＬＳ３−３＜ＬＳ３−４と設定することが可能である。尚、大小関係としては、この逆であってもよい。また、オフセット量の変更は、距離（小）の場合に限らず、距離（大）、距離（中）の場合であっても同様である。
【００９２】
また、ＥＣＵ２０は、運転者がステアリングホイール３１を握っているハンズオン状態、または、運転者がステアリングホイール３１を握っていないハンズオフ状態（手放し状態）の検知結果に応じて、オフセット量を変更することが可能である。
【００９３】
電動パワーステアリング装置３を制御するＥＣＵ２１は、ステアリングホイール３１に設けられているセンサの検出結果に基づいて、ハンズオン状態であるか、ハンズオフ状態であるかを高精度に判定できる。センサとしては、静電容量型センサ、抵抗型センサ、圧電センサ、温度センサなどが含まれる。例えば、圧電センサは圧縮されると電圧信号を発生し、電圧はＥＣＵ２１の検出回路によって検出される。他の種類のセンサは、接触によって引き起こされる電気的または磁気的な信号に依存するものであり、各センサに対応したＥＣＵ２１の検出回路によってセンサの信号が検出される。
【００９４】
ＥＣＵ２１による、ハンズオン状態またはハンズオフ状態の検出結果に基づいて、ＥＣＵ２０は、オフセット量を変更することが可能である。図２Ｂで示すように距離（小）の場合、レベル２の動的物標に対するオフセット量はＬＤ３−２であり、静的物標に対すオフセット量はＬＳ３−２である。また、レベル３の動的物標に対するオフセット量はＬＤ３−３であり、静的物標に対すオフセット量はＬＳ３−３である。このオフセット量（ＬＤ３−２、ＬＳ３−２、ＬＤ３−３、ＬＳ３−３）を基準として、ＥＣＵ２０は、ハンズオン状態またはハンズオフ状態の検出結果に基づいて、距離（小）のオフセット量を、図２Ｃに示すように設定することが可能である。
【００９５】
ＥＣＵ２０は、レベル２のハンズオン状態において、動的物標に対する距離（小）のオフセット量として、ＬＤ３−２−ＯＮを設定し、静的物標に対する距離（小）のオフセット量として、ＬＳ３−２−ＯＮを設定することが可能である。また、ＥＣＵ２０は、レベル２のハンズオフ状態において、動的物標に対する距離（小）のオフセット量として、ＬＤ３−２−ＯＦＦを設定し、静的物標に対する距離（小）のオフセット量として、ＬＳ３−２−ＯＦＦを設定することが可能である。
【００９６】
オフセット量の大小関係は、ハンズオン状態のオフセット量（ＬＤ３−２−ＯＮ、ＬＳ３−２−ＯＮ）に比べて、ハンズオフ状態のオフセット量（ＬＤ３−２−ＯＦＦ、ＬＳ３−２−ＯＦＦ）を大きく設定することが可能である。尚、大小関係としては、この逆であってもよい。また、オフセット量の変更は、距離（小）の場合に限らず、距離（大）、距離（中）の場合であっても同様である。
【００９７】
レベル３に関しても同様に、ＥＣＵ２０は、レベル３のハンズオン状態において、動的物標に対する距離（小）のオフセット量として、ＬＤ３−３−ＯＮを設定し、静的物標に対する距離（小）のオフセット量として、ＬＳ３−３−ＯＮを設定することが可能である。また、ＥＣＵ２０は、レベル３のハンズオフ状態において、動的物標に対する距離（小）のオフセット量として、ＬＤ３−３−ＯＦＦを設定し、静的物標に対する距離（小）のオフセット量として、ＬＳ３−３−ＯＦＦを設定することが可能である。
【００９８】
オフセット量の大小関係は、ハンズオン状態のオフセット量（ＬＤ３−３−ＯＮ、ＬＳ３−３−ＯＮ）に比べて、ハンズオフ状態のオフセット量（ＬＤ３−３−ＯＦＦ、ＬＳ３−３−ＯＦＦ）を大きく設定することが可能である。尚、大小関係としては、この逆であってもよい。また、オフセット量の変更は、距離（小）の場合に限らず、距離（大）、距離（中）の場合であっても同様である。
【００９９】
（自動運転レベル）
自動運転レベルは、車両の加速、操舵、制動に関する操作に関して制御部（例えば、ＥＣＵ２０）が制御する度合と、車両を操作する運転者における車両操作の関与度と、に応じて複数の段階に分類されている。例えば、自動運転レベルとして、以下のものが挙げられる。尚、以下の分類は、例示的なものであり、本発明の趣旨は、この例に限定されるものではない。
【０１００】
（１）レベル１（単独型の自動運転）
レベル１では、車両の加速、操舵、制動のいずれかの操作制御を走行制御装置が行う。走行制御装置が操作制御を行うもの除いた全ての操作については、運転者の関与が必要とされ、レベル１において、運転者（ドライバー）には、いつでも安全に運転できる態勢にあることが要求される（周辺監視義務が要求される）。
【０１０１】
（２）レベル２（自動運転の複合化）
レベル２では、車両の加速、操舵、制動のうち、複数の操作制御を走行制御装置が行う。運転者の関与の度合いはレベル１より低くなるが、レベル２においても、運転者（ドライバー）には、いつでも安全に運転できる態勢にあることが要求される（周辺監視義務が要求される）。
【０１０２】
（３）レベル３（自動運転の高度化）
レベル３では、加速、操舵、制動に関する全ての操作を走行制御装置が行い、走行制御装置が要請したときのみドライバーが車両の操作対応を行う。レベル３では、自動運転で走行中、ドライバーに対する周辺監視義務は緩和される。レベル３では、運転者の関与の度合いはレベル２より更に低くなる。
【０１０３】
（４）レベル４（完全運転自動化）
レベル４では、加速、操舵、制動に関する全ての操作を走行制御装置が行い、ドライバーは車両の操作に全く関与しない。レベル４では、車両が走行する全ての行程で自動走行を行い、自動運転で走行中において、ドライバーに対する周辺監視義務は緩和され、運転者の関与の度合いはレベル３より更に低くなる。
【０１０４】
＜実施形態のまとめ＞
構成１．上記実施形態の車両制御装置は、車両（例えば、１）の走行を制御する車両制御装置（例えば、１００）であって、
前記車両の周囲に存在し得る物標に対して、前記車両の走行方向に交差する横方向の距離を設定する設定手段（例えば、２８、９２、９３、ＤＩＳＰ、ＵＩ）と、
前記車両の走行中において、前記車両の周囲に存在している物標を検出する検出手段（例えば、２２、２３、４２、４３）と、
前記検出された物標に対する前記横方向の距離と、前記物標に対して設定された前記横方向の距離との比較に基づいて、前記車両を前記横方向に移動させるオフセット制御を実行する制御手段（例えば、２０、ＣＯＭ）と、を備えることを特徴とする。
【０１０５】
構成１の車両制御装置によれば、車両の周囲に存在する物標に対する相対的な位置関係として、車両の走行方向に対して交差する横方向の距離を、ドライバーの設定に合わせて制御することが可能になる。また、構成１の車両制御装置によれば、ドライバーの運転感覚に合致した自動運転が可能となる。
【０１０６】
構成２．上記実施形態の車両制御装置（１００）であって、前記設定手段（２８、９２、９３、ＤＩＳＰ、ＵＩ）は、時間の経過に従い移動する動的物標に対する距離設定と、時間の経過に従い移動しない静的物標に対する距離設定とに分けて、前記横方向の距離を設定することを特徴とする。
【０１０７】
構成２の車両制御装置によれば、ドライバーの運転感覚に合わせて、動的物標および静的物標に対する横方向の距離を分けて設定する、すなわち、横方向において物標との間で確保すべき間隔を物標の種別に分けて設定することで、ドライバーにとって違和感の無い軌道での自動運転が可能となる。
【０１０８】
構成３．上記実施形態の車両制御装置（１００）であって、前記検出手段（２２、２３、４２、４３）が、前記車両の周囲に存在している複数の物標を検出した場合において、
前記制御手段（２０、ＣＯＭ）は、前記検出された複数の物標それぞれに対する前記横方向の距離と、前記物標に対して設定された前記横方向の距離との比較に基づいて、前記車両を前記横方向に移動させるオフセット制御を実行することを特徴とする。
【０１０９】
構成３の車両制御装置によれば、車両の周囲に存在する複数の物標に対する相対的な位置関係として、車両の走行方向に対して交差する横方向の距離を、ドライバーの設定に合わせて制御することが可能になる。
【０１１０】
構成４．上記実施形態の車両制御装置（１００）であって、前記制御手段（２０、ＣＯＭ）は、
前記複数の物標のうち一の物標に対する横方向の距離を確保した場合に、前記車両と他の物標との前記横方向の距離が、前記他の物標に対する距離の設定値を下回るか判定し、
前記他の物標に対する距離の設定値を下回る場合に、前記車両の減速制御を行うことを特徴とする。
【０１１１】
構成４の車両制御装置によれば、走行している車両の速度を減速させることにより、周囲の動的物標が移動していくのを減速状態で待ち、並走している動的物標との位置関係を変えることができる。また、車両を減速して車両の運動エネルギーを低下させることにより、物標との干渉で生じ得る車両の影響を、より一層低減することが可能になる。
【０１１２】
構成５．上記実施形態の車両制御装置（１００）であって、前記制御手段（２０、ＣＯＭ）は、前記車両と他の物標との前記横方向の距離が、前記他の物標に対する距離の設定値を下回らない場合に、前記オフセット制御を行うことを特徴とする。
【０１１３】
構成５の車両制御装置によれば、検出された一の物標に対する距離の設定値を確保することが可能になる。
【０１１４】
構成６．上記実施形態の車両制御装置（１００）であって、前記複数の物標には、時間の経過に従い移動する動的物標と、時間の経過に従い移動しない静的物標とが含まれ、
前記制御手段（２０、ＣＯＭ）は、
前記減速制御を行った状態で、前記動的物標および静的物標の少なくともいずれか一方について、検出された前記横方向の距離が、前記設定された前記横方向の距離未満となる場合、一時的に前記静的物標に対して前記設定された前記横方向の距離を小さくするように変更することを特徴とする。
【０１１５】
構成６の車両制御装置によれば、一時的に静的物標に対する距離の設定値を変更することにより、動的物標に対する距離の設定値を確保するため、一時的に静的物標に対して設定された距離を下回ることを許容することで、減速しすぎず、より安全な距離感で走行することが可能になる。
【０１１６】
構成７．上記実施形態の車両制御装置（１００）であって、前記設定手段（例えば、２８、９２、９３、ＤＩＳＰ、ＵＩ）は、前記動的物標に対する距離設定に対して、前記静的物標に対する距離設定を小さく設定することを特徴とする。
【０１１７】
構成７の車両制御装置によれば、ドライバーの運転感覚に合わせて、動的物標および静的物標に対する設定を行うことで、ドライバーの運転感覚に合致した自動運転が可能となる。
【０１１８】
構成８．上記実施形態の車両制御装置（１００）であって、前記設定手段（例えば、２８、９２、９３、ＤＩＳＰ、ＵＩ）は、前記動的物標を、歩行者、自転車、バイクおよび四輪車両に分けて、異なる距離を設定し、
前記静的物標を、前記車両が走行する道路に対して高さを有する静的物標と、前記道路に対して高さの無い静的物標とに分けて、異なる距離を設定することを特徴とする。
【０１１９】
構成９．上記実施形態の車両制御装置（１００）であって、前記設定手段（例えば、２８、９２、９３、ＤＩＳＰ、ＵＩ）は、前記動的物標に関して、前記自転車に対する距離を、前記歩行者に対する距離より小さく設定し、前記バイクに対する距離を、前記自転車に対する距離より小さく設定し、前記四輪車両に対する距離を、前記バイクに対する距離よりも小さく設定し、
前記静的物標に関して、前記車両が走行する道路に対して高さの無い静的物標に対する距離を、前記道路に対して高さを有する静的物標に対する距離より小さく設定することを特徴とする。
【０１２０】
構成８および構成９の車両制御装置によれば、動的物標および静的物標の内容を細分化して、それぞれ異なる距離を設定することによって、よりドライバーの運転感覚に合致した自動運転が可能になる。
【０１２１】
構成１０．上記実施形態の車両（例えば、１）は、構成１乃至構成９のいずれか１つの構成に記載の車両制御装置を有することを特徴とする。
【０１２２】
構成１０の車両によれば、車両が有する車両制御装置により、車両の周囲に存在する物標に対する相対的な位置関係として、車両の走行方向に対して交差する横方向の距離を、ドライバーの設定に合わせて制御した走行が可能になる。また、構成１０の車両によれば、ドライバーの運転感覚に合致した自動運転が可能な車両が提供される。
【０１２３】
構成１１．上記実施形態の車両制御方法は、車両の走行を制御する車両制御装置で実行する車両制御方法であって、
前記車両の周囲に存在し得る物標に対して、前記車両の走行方向に交差する横方向の距離を設定する設定工程（例えば、Ｓ１０）と、
前記車両の走行中において、前記車両の周囲に存在している物標を検出する検出工程（例えば、Ｓ１１）と、
前記検出された物標に対する前記横方向の距離と、前記物標に対して設定された前記横方向の距離との比較に基づいて、前記車両を前記横方向に移動させるオフセット制御を実行する制御工程（例えば、Ｓ１２〜Ｓ２０）と、を有することを特徴とする。
【０１２４】
構成１１の車両制御方法によれば、車両の周囲に存在する物標に対する相対的な位置関係として、車両の走行方向に対して交差する横方向の距離を、ドライバーの設定に合わせて制御することが可能になる。また、構成１１の車両制御方法によれば、ドライバーの運転感覚に合致した自動運転が可能となる。
【０１２５】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【０１２６】
１：車両（自車両）、２０：ＥＣＵ、１００：車両制御装置、２０６：他車両、４２：ライダ、４３：レーダ、９２：表示装置、９３：入力装置、ＣＯＭ：コンピュータ、ＤＩＳＰ：表示装置、ＵＩ：操作部、ＣＡＭ：カメラ、Ｓ：センサ
【図１Ａ】
2019058465.tif 000003
【図１Ｂ】
2019058465.tif 000004
【図２Ａ】
2019058465.tif 000005
【図２Ｂ】
2019058465.tif 000006
【図２Ｃ】
2019058465.tif 000007
【図３】
2019058465.tif 000008
【図４】
2019058465.tif 000009
【図５】
2019058465.tif 000010
【図６】
2019058465.tif 000011
【手続補正書】
【提出日】令和2年3月10日(2020.3.10)
【手続補正１】
【補正対象書類名】明細書
【補正対象項目名】００２０
【補正方法】変更
【補正の内容】
【００２０】
図１Ｂの制御ユニット２は、車両１の各部を制御する。制御ユニット２は車内ネットワークにより通信可能に接続された複数のＥＣＵ２０〜２９を含む。各ＥＣＵ（Ｅｌｅｃｔｒｏｎｉｃ  Ｃｏｎｔｒｏｌ  Ｕｎｉｔ）は、ＣＰＵ（Ｃｅｎｔｒａｌ  Ｐｒｏｃｅｓｓｉｎｇ  Ｕｎｉｔ）に代表されるプロセッサ、半導体メモリ等の記憶デバイス、外部デバイスとのインタフェース等を含む。記憶デバイスにはプロセッサが実行するプログラムやプロセッサが処理に使用するデータ等が格納される。各ＥＣＵはプロセッサ、記憶デバイスおよびインタフェース等を複数備えていてもよい。
【手続補正２】
【補正対象書類名】明細書
【補正対象項目名】００５４
【補正方法】変更
【補正の内容】
【００５４】
そして、図３の３ｃに示すように、距離（小）の設定に基づくオフセット制御では、車両１（自車両）と並走する他車両２０６との距離として、ＬＤ３を確保しつつ、静的物標２０３に対してＬＳ３まで接近することが可能である。図３の３ｃに示すように、距離（小）の設定に基づくオフセット制御では、実線２０７の移動軌跡と車線中心２０８とが一致し、車両１はオフセット制御を実行しても、並走する他車両２０６との相対的な位置関係では、車線中心２０８に沿って移動可能である。
【国際調査報告】
2019058465.tif 000012
2019058465.tif 000013
2019058465.tif 000014
2019058465.tif 000015